(57)【要約】      （修正有）【課題】ユーザーが簡単な操作を行うだけで画面上のボタン又は当該ボタンに表示されたアイコン又は文字列と内容的に関連する文字列又は文章を入力することができる文字列等入力システム及び方法を提供する。【解決手段】文字列等入力システムは、中央ボタン１１が画面に表示等されているとき、中央ボタン１１に表示されたアイコンを構成する絵若しくは図形又は文字列と内容的に関連するアイコン又は文字列が表示された複数の周辺ボタン１１ａ〜１１ｈを中央ボタンの周辺に表示し、複数の周辺ボタン中のいずれかが操作等されたとき、操作された周辺ボタン１１ａ〜１１ｈに表示されたアイコンを構成する絵若しくは図形又は文字列と内容的に関連する１つ又は複数の文字列又は文章を、入力用データとして表示する。【選択図】図３
2019144721.tif 000002
【特許請求の範囲】
【請求項１】
アイコン又は文字列（文字は記号を含む）が表示される中央ボタンと、前記中央ボタンに表示されたアイコンを構成する絵若しくは図形又は文字列と内容的に関連する絵若しくは図形により構成されるアイコン又は文字列が表示される複数の周辺ボタンとを、互いに関連付けて記録する中央ボタン関連記録部と、
前記複数の各周辺ボタン、当該各周辺ボタンにそれぞれ表示されるアイコン、当該アイコンを構成する絵若しくは図形、又は当該各周辺ボタンにそれぞれ表示される文字列と、前記各周辺ボタンにそれぞれ表示されるアイコンを構成する絵若しくは図形又は文字列と内容的に関連する１つ又は複数の文字列又は文章とを、互いに関連付けて記録する周辺ボタン関連記録部と、
前記中央ボタンが画面に表示されているとき又は操作されたとき、前記中央ボタンに表示されたアイコンを構成する絵若しくは図形又は文字列と内容的に関連する絵若しくは図形により構成されるアイコン又は文字列が表示された複数の周辺ボタンを、前記中央ボタンの周辺に又は前記中央ボタンと関連付けて表示する関連周辺ボタン表示部と、
前記複数の周辺ボタン中のいずれかが操作又は選択されたとき、前記操作等された周辺ボタンに表示されたアイコンを構成する絵若しくは図形又は文字列と内容的に関連する、１つ又は複数の文字列又は文章を、入力用データとして表示する関連文字列等表示部と、
を含む文字列等入力システム。
【請求項２】
アイコン又は文字列（文字は記号を含む）が表示される中央ボタンと、前記中央ボタンに表示されたアイコンを構成する絵若しくは図形又は文字列と内容的に関連する絵若しくは図形により構成されるアイコンが表示される複数の周辺ボタンとを、互いに関連付けて記録する中央ボタン関連記録部と、
前記複数の各周辺ボタン、当該各周辺ボタンにそれぞれ表示されるアイコン、又は当該アイコンを構成する絵若しくは図形と、前記各周辺ボタンにそれぞれ表示されるアイコンを構成する絵若しくは図形と内容的に関連する１つ又は複数の文字列又は文章とを、互いに関連付けて記録する周辺ボタン関連記録部と、
前記中央ボタンが画面に表示されているとき又は操作されたとき、前記中央ボタンに表示されたアイコンを構成する絵若しくは図形又は文字列と内容的に関連する絵若しくは図形により構成されるアイコンが表示された複数の周辺ボタンを、前記中央ボタンの周辺に又は前記中央ボタンと関連付けて表示する関連周辺ボタン表示部と、
前記複数の周辺ボタン中のいずれかが操作又は選択されたとき、前記操作等された周辺ボタンに表示されたアイコンを構成する絵若しくは図形と内容的に関連する、１つ又は複数の文字列又は文章を、入力用データとして表示する関連文字列等表示部と、
を含む文字列等入力システム。
【請求項３】
所定の種類若しくは種別の仕事を示す絵若しくは図形により構成されるアイコン又は所定の種類若しくは種別の仕事を示す文字列（文字は記号を含む）が表示される中央ボタンと、前記中央ボタンに表示されたアイコンを構成する絵若しくは図形又は文字列が示す仕事に含まれる各作業内容を示す絵若しくは図形により構成されるアイコンがそれぞれ表示される複数の周辺ボタンとを、互いに関連付けて記録する中央ボタン関連記録部と、
前記複数の各周辺ボタン、当該各周辺ボタンにそれぞれ表示されるアイコン、又は当該アイコンを構成する絵若しくは図形と、前記各周辺ボタンにそれぞれ表示されるアイコンを構成する絵若しくは図形に示された作業内容と内容的に関連する１つ又は複数の文字列又は文章とを、互いに関連付けて記録する周辺ボタン関連記録部と、
前記中央ボタンが画面に表示されているとき又は操作されたとき、前記中央ボタンに表示されたアイコンを構成する絵若しくは図形又は文字列に示された仕事と内容的に関連する作業内容を示す絵若しくは図形により構成されるアイコンが表示された複数の周辺ボタンを、前記中央ボタンの周辺に又は前記中央ボタンと関連付けて表示する関連周辺ボタン表示部と、
前記複数の周辺ボタン中のいずれかが操作又は選択されたとき、前記操作等された周辺ボタンに表示されたアイコンを構成する絵若しくは図形に示された特定の作業内容と内容的に関連する、１つ又は複数の文字列又は文章を、入力用データとして表示する関連文字列等表示部と、
を含む文字列等入力システム。
【請求項４】
介護又は医療分野で行われる複数の種類若しくは種別に分けられた仕事を示すアイコン又は文字列（文字は記号を含む）が表示される中央ボタンと、前記仕事の中に含まれる各作業内容を示す絵若しくは図形により構成されるアイコンがそれぞれ表示される複数の周辺ボタンとを、互いに関連付けて記録する中央ボタン関連記録部と、
前記複数の各周辺ボタン、当該各周辺ボタンにそれぞれ表示されるアイコン、又は当該アイコンを構成する絵若しくは図形と、前記各周辺ボタンにそれぞれ表示されるアイコンを構成する絵若しくは図形に示される介護又は医療分野で行われる複数の種類若しくは種別に分けられた仕事の中に含まれる各作業内容をそれぞれ記述した、１つ又は複数の文字列又は文章とを、互いに関連付けて記録する周辺ボタン関連記録部と、
前記中央ボタンが画面に表示されているとき又は操作されたとき、前記中央ボタンに表示されたアイコンを構成する絵若しくは図形又は文字列に示された前記特定の仕事の中に含まれる各作業内容を示す絵若しくは図形により構成されたアイコンをそれぞれ表示した複数の周辺ボタンを、前記中央ボタンの周辺に又は前記中央ボタンと関連付けて表示する関連周辺ボタン表示部と、
前記複数の周辺ボタン中のいずれかが操作又は選択されたとき、前記操作等された特定の周辺ボタンに表示されたアイコンを構成する絵若しくは図形に示された介護又は医療分野で行われる複数の種類若しくは種別に分けられた特定の仕事の中に含まれる特定の作業内容を記述した、１つ又は複数の文字列又は文章を、入力用データとして表示する関連文字列等表示部と、
を含む文字列等入力システム。
【請求項５】
前記関連周辺ボタン表示部は、前記中央ボタンから十字方向の、例えば上側、下側、左側及び右側などの近傍の各位置、前記中央ボタンから扇状に周辺に向かう近傍の各位置、又は前記中央ボタンから放射状に周辺に向かう近傍の各位置に、前記中央ボタンと関連する複数の各周辺ボタンをそれぞれ表示するものである、請求項１から４までのいずかに記載の文字列等入力システム。
【請求項６】
前記関連文字列等表示部は、ユーザーが画面上で前記中央ボタンから１つの周辺ボタンに向けて指を滑らせるフリック操作を行ったとき、前記フリック操作された特定の周辺ボタンと対応する１つ又は複数の文字列又は文章を、入力用データとして表示するものである、請求項１から５までのいずかに記載の文字列等入力システム。
【請求項７】
アイコン又は文字列（文字は記号を含む）が表示される中央ボタンと、前記中央ボタンに表示されたアイコンを構成する絵若しくは図形又は文字列と内容的に関連する絵若しくは図形により構成されるアイコン又は文字列が表示される複数の周辺ボタンとを、互いに関連付けて記録しておくと共に、前記複数の各周辺ボタン、当該各周辺ボタンにそれぞれ表示されるアイコン、当該アイコンを構成する絵若しくは図形、又は当該各周辺ボタンにそれぞれ表示される文字列と、前記アイコンを構成する絵若しくは図形又は文字列と内容的に関連する１つ又は複数の文字列又は文章とを、互いに関連付けて記録しておき、
前記中央ボタンが画面に表示されているとき又は操作されたとき、前記中央ボタンに表示されたアイコンを構成する絵若しくは図形又は文字列と内容的に関連する絵若しくは図形により構成されるアイコン又は文字列が表示された複数の周辺ボタンを、前記中央ボタンの周辺に又は前記中央ボタンと関連付けて表示する関連周辺ボタン表示ステップと、
前記複数の周辺ボタン中のいずれかが操作又は選択されたとき、前記操作等された周辺ボタンに表示されたアイコンを構成する絵若しくは図形又は文字列と内容的に関連する、１つ又は複数の文字列又は文章を、入力用データとして表示する関連文字列等表示ステップと、
を含む文字列等入力方法。
【発明の詳細な説明】
【技術分野】
【０００１】
本発明は、スマートフォン、タブレット端末等の携帯型情報端末において文字列等を極めて簡単な操作により入力することができるシステム及び方法に関する。
【背景技術】
【０００２】
従来より、スマートフォン、タブレット端末等の携帯型情報端末での文字の入力操作、特にタッチパネルでの文字の入力操作を簡易化する方法が種々提案され、また実用化されている。例えば、図６（ａ）〜（ｄ）に示すように、平仮名の例えば「な」を指でタッチすると、「な」の周辺（十字状の上下左右に連接する位置）に、「な行」に含まれる「に」、「ぬ」、「ね」及び「の」が表示され、その状態で、さらに指を「な」から「に」、「ぬ」、「ね」及び「の」のいずれか、例えば「ね」の方にフリックする（滑らせる）と当該フリックした先の「ね」が入力されるというフリック入力方式が知られている（特許文献１参照）。このフリック入力によるときは、前記の例では、「な」をタッチし、さらに「ね」の方にフリックするという２回の短い操作だけで「ね」を入力することができるメリットがある。なお、図６（ａ）〜（ｄ）に示す例は、「な」の周辺である上下左右に「に」、「ぬ」、「ね」及び「の」を表示する方式であるが、図６（ｅ）のように、例えば「あ」の周辺である上方に扇状に「い」、「う」、「え」及び「お」を表示する方式も提案されている（特許文献２参照）。
【先行技術文献】
【特許文献】
【０００３】
【特許文献１】特開２０１７−１８２２２８号公報
【特許文献２】特許５２１０４７１号公報
【発明の概要】
【発明が解決しようとする課題】
【０００４】
しかしながら、前述のような従来より提案されているフリック入力は、例えば図６（ａ）〜（ｄ）の例では、「な」をタッチして「ね」の方にフリックするという２回の短い操作により、「ね」という一文字を入力するか、又は「ね」を文頭とする文字列の候補（例えば、端末内部の日本語辞書を参照して得られる「ね」から始まる文字列候補である、「寝る」、「練る」、「眠る」、「眠り」、「値段」及び「年」などの文字列候補）を提示できるというだけであり、ユーザーが操作したボタン又はそこに表示された文字やアイコンを構成する絵若しくは図形と内容的に関連する文字列又は文章（又はその候補）を表示したり入力したりすることは全く想定されていなかった。
【０００５】
本発明はこのような従来技術の課題に着目して為されたものであって、ユーザーが極めて簡単な操作（少ない回数の操作）を行うだけで、画面上のボタン又は当該ボタンに表示されたアイコン又は文字列を構成する絵若しくは図形と内容的に関連する文字列又は文章を入力用データとして表示したり入力したりすることができる文字列等入力システム及び方法を提案することを目的とする。
【課題を解決するための手段】
【０００６】
本発明による文字列等入力システムは、アイコン又は文字列（文字は記号を含む）が表示される中央ボタンと、前記中央ボタンに表示されたアイコンを構成する絵若しくは図形又は文字列と内容的に関連する絵若しくは図形により構成されるアイコン又は文字列が表示される複数の周辺ボタンとを、互いに関連付けて記録する中央ボタン関連記録部と、前記複数の各周辺ボタン、当該各周辺ボタンにそれぞれ表示されるアイコン、当該アイコンを構成する絵若しくは図形、又は当該各周辺ボタンにそれぞれ表示される文字列と、前記各周辺ボタンにそれぞれ表示されるアイコンを構成する絵若しくは図形又は文字列と内容的に関連する１つ又は複数の文字列又は文章とを、互いに関連付けて記録する周辺ボタン関連記録部と、前記中央ボタンが画面に表示されているとき又は操作されたとき、前記中央ボタンに表示されたアイコンを構成する絵若しくは図形又は文字列と内容的に関連する絵若しくは図形により構成されるアイコン又は文字列が表示された複数の周辺ボタンを、前記中央ボタンの周辺に又は前記中央ボタンと関連付けて表示する関連周辺ボタン表示部と、前記複数の周辺ボタン中のいずれかが操作又は選択されたとき、前記操作等された周辺ボタンに表示されたアイコンを構成する絵若しくは図形又は文字列と内容的に関連する、１つ又は複数の文字列又は文章を、入力用データとして表示する関連文字列等表示部とを含むものである。
【０００７】
また、本発明による文字列等入力システムは、アイコン又は文字列（文字は記号を含む）が表示される中央ボタンと、前記中央ボタンに表示されたアイコンを構成する絵若しくは図形又は文字列と内容的に関連する絵若しくは図形により構成されるアイコンが表示される複数の周辺ボタンとを、互いに関連付けて記録する中央ボタン関連記録部と、前記複数の各周辺ボタン、当該各周辺ボタンにそれぞれ表示されるアイコン、又は当該アイコンを構成する絵若しくは図形と、前記各周辺ボタンにそれぞれ表示されるアイコンを構成する絵若しくは図形と内容的に関連する１つ又は複数の文字列又は文章とを、互いに関連付けて記録する周辺ボタン関連記録部と、前記中央ボタンが画面に表示されているとき又は操作されたとき、前記中央ボタンに表示されたアイコンを構成する絵若しくは図形又は文字列と内容的に関連する絵若しくは図形により構成されるアイコンが表示された複数の周辺ボタンを、前記中央ボタンの周辺に又は前記中央ボタンと関連付けて表示する関連周辺ボタン表示部と、前記複数の周辺ボタン中のいずれかが操作又は選択されたとき、前記操作等された周辺ボタンに表示されたアイコンを構成する絵若しくは図形と内容的に関連する、１つ又は複数の文字列又は文章を、入力用データとして表示する関連文字列等表示部とを含むものである。
【０００８】
また、本発明による文字列等入力システムは、所定の種類若しくは種別の仕事を示す絵若しくは図形により構成されるアイコン又は所定の種類若しくは種別の仕事を示す文字列（文字は記号を含む）が表示される中央ボタンと、前記中央ボタンに表示されたアイコンを構成する絵若しくは図形又は文字列が示す仕事に含まれる各作業内容を示す絵若しくは図形により構成されるアイコンがそれぞれ表示される複数の周辺ボタンとを、互いに関連付けて記録する中央ボタン関連記録部と、前記複数の各周辺ボタン、当該各周辺ボタンにそれぞれ表示されるアイコン、又は当該アイコンを構成する絵若しくは図形と、前記各周辺ボタンにそれぞれ表示されるアイコンを構成する絵若しくは図形に示された作業内容と内容的に関連する１つ又は複数の文字列又は文章とを、互いに関連付けて記録する周辺ボタン関連記録部と、前記中央ボタンが画面に表示されているとき又は操作されたとき、前記中央ボタンに表示されたアイコンを構成する絵若しくは図形又は文字列に示された仕事と内容的に関連する作業内容を示す絵若しくは図形により構成されるアイコンが表示された複数の周辺ボタンを、前記中央ボタンの周辺に又は前記中央ボタンと関連付けて表示する関連周辺ボタン表示部と、前記複数の周辺ボタン中のいずれかが操作又は選択されたとき、前記操作等された周辺ボタンに表示されたアイコンを構成する絵若しくは図形に示された特定の作業内容と内容的に関連する、１つ又は複数の文字列又は文章を、入力用データとして表示する関連文字列等表示部と、を含むものである。
【０００９】
また、本発明による文字列等入力システムは、介護又は医療分野で行われる複数の種類若しくは種別に分けられた特定の仕事を示すアイコン又は文字列（文字は記号を含む）が表示される中央ボタンと、前記仕事の中に含まれる各作業内容を示す絵若しくは図形により構成されるアイコンがそれぞれ表示される複数の周辺ボタンとを、互いに関連付けて記録する中央ボタン関連記録部と、前記複数の各周辺ボタン、当該各周辺ボタンにそれぞれ表示されるアイコン、又は当該アイコンを構成する絵若しくは図形と、前記各周辺ボタンにそれぞれ表示されるアイコンを構成する絵若しくは図形に示された介護又は医療分野で行われる複数の種類若しくは種別に分けられた特定の仕事の中に含まれる各作業内容をそれぞれ記述した、１つ又は複数の文字列又は文章とを、互いに関連付けて記録する周辺ボタン関連記録部と、前記中央ボタンが画面に表示されているとき又は操作されたとき、前記中央ボタンに表示されたアイコンを構成する絵若しくは図形又は文字列に示された前記特定の仕事の中に含まれる特定の作業内容をそれぞれ記述した絵若しくは図形を有する複数の周辺ボタンを、前記中央ボタンの周辺に又は前記中央ボタンと関連付けて表示する関連周辺ボタン表示部と、前記複数の周辺ボタン中のいずれかが操作又は選択されたとき、前記操作等された周辺ボタンに表示されたアイコンを構成する絵若しくは図形に示された介護又は医療分野で行われる複数の種類若しくは種別に分けられた特定の仕事の中に含まれる各作業内容を記述した、１つ又は複数の文字列又は文章を、入力用データとして表示する関連文字列等表示部とを含むものである。
【００１０】
また、本発明による文字列等入力システムにおいては、前記関連周辺ボタン表示部は、前記中央ボタンから十字方向の、例えば上側、下側、左側及び右側などの近傍（周辺）の各位置、前記中央ボタンから扇状に周辺に向かう近傍の各位置、又は前記中央ボタンから放射状に周辺に向かう近傍の各位置に、前記中央ボタンと関連する複数の周辺ボタンを表示するものであってもよい。
【００１１】
また、本発明による文字列等入力システムにおいては、前記関連文字列等表示部は、ユーザーが画面上で前記中央ボタンから１つの周辺ボタンに向けて指を滑らせるフリック操作を行ったとき、前記フリック操作された特定の周辺ボタンと対応する１つ又は複数の文字列又は文章を、入力用データとして表示するものであってもよい。
【００１２】
さらに、本発明による文字列等入力方法は、アイコン又は文字列（文字は記号を含む）が表示される中央ボタンと、前記中央ボタンに表示されたアイコンを構成する絵若しくは図形又は文字列と内容的に関連する絵若しくは図形により構成されるアイコン又は文字列が表示される複数の周辺ボタンとを、互いに関連付けて記録しておくと共に、前記複数の各周辺ボタン、当該各周辺ボタンにそれぞれ表示されるアイコン、当該アイコンを構成する絵若しくは図形、又は当該各周辺ボタンにそれぞれ表示される文字列と、前記アイコンを構成する絵若しくは図形又は文字列と内容的に関連する１つ又は複数の文字列又は文章とを、互いに関連付けて記録しておき、前記中央ボタンが画面に表示されているとき又は操作されたとき、前記中央ボタンに表示されたアイコンを構成する絵若しくは図形又は文字列と内容的に関連する絵若しくは図形により構成されるアイコン又は文字列が表示された複数の周辺ボタンを、前記中央ボタンの周辺に又は前記中央ボタンと関連付けて表示する関連周辺ボタン表示ステップと、前記複数の周辺ボタン中のいずれかが操作又は選択されたとき、前記操作等された周辺ボタンに表示されたアイコンを構成する絵若しくは図形又は文字列と内容的に関連する、１つ又は複数の文字列又は文章を、入力用データとして表示する関連文字列等表示ステップとを含むものである。
【発明の効果】
【００１３】
本発明による文字列等入力システムにおいては、中央ボタンが画面に表示されているとき、前記中央ボタンと関連する複数の周辺ボタンを、前記中央ボタンの周辺に又は前記中央ボタンと関連付けて表示し、前記複数の周辺ボタン中のいずれかが操作又は選択されたとき、前記操作等された周辺ボタン、当該各周辺ボタンにそれぞれ表示されたアイコンを構成する絵若しくは図形、又は文字列と内容的に関連する、１つ又は複数の文字列又は文章を、入力用データとして表示するようにしている。よって、本発明によれば、ユーザーは、極めて簡単な操作（少ない回数の操作）を行うだけで、特定の周辺ボタンに表示されたアイコンを構成する絵若しくは図形又は文字列と内容的に関連する文字列又は文章を、入力用データとして表示したり入力したりすることができる。
【００１４】
また、本発明による文字列等入力システムにおいては、中央ボタンが画面に表示されているとき、前記中央ボタンと関連する複数の周辺ボタンを、前記中央ボタンの周辺に又は前記中央ボタンと関連付けて表示し、前記複数の周辺ボタン中のいずれかが操作又は選択されたとき、前記操作等された周辺ボタンに表示されたアイコン中の絵又は図形と内容的に関連する、１つ又は複数の文字列又は文章を、入力用データとして表示するようにしている。よって、本発明によれば、ユーザーは、極めて簡単な操作（少ない回数の操作）を行うだけで、且つ前記アイコン中の絵又は図形を見ながら直感的に、特定の周辺ボタンに表示されたアイコン中の絵又は図形と内容的に関連する文字列又は文章を、入力用データとして表示したり入力したりすることができる。
【００１５】
また、本発明による文字列等入力システムにおいては、特定の仕事を示すアイコン又は文字列が表示された中央ボタンが画面に表示されているとき、前記中央ボタンと関連する前記複数の周辺ボタンを、前記中央ボタンの周辺に又は前記中央ボタンと関連付けて表示し、前記複数の周辺ボタン中のいずれかが操作又は選択されたとき、前記操作等された周辺ボタンに表示されたアイコンを構成する絵若しくは図形に示された特定の作業内容と内容的に関連する、１つ又は複数の文字列又は文章を、入力用データとして表示するようにしている。よって、本発明によれば、ユーザーは、極めて簡単な操作（少ない回数の操作）を行うだけで、且つ前記アイコン中の作業内容を示す絵若しくは図形を見ながら直感的に、特定の周辺ボタンに表示されたアイコンを構成する絵若しくは図形に示された特定の作業内容と内容的に関連する１つ又は複数の文字列又は文章を、入力用データとして表示したり入力したりすることができる。
【００１６】
また、本発明による文字列等入力システムにおいては、介護又は医療分野で行われる特定の仕事を示すアイコン又は文字列が表示された中央ボタンが画面に表示されているとき、前記中央ボタンと関連する複数の周辺ボタンを、前記中央ボタンの周辺に又は前記中央ボタンと関連付けて表示し、前記複数の周辺ボタン中のいずれかが操作又は選択されたとき、前記操作等された周辺ボタンに表示されたアイコンを構成する絵若しくは図形に示された前記介護又は医療分野での特定の仕事に含まれる特定の作業内容を記述した、１つ又は複数の文字列又は文章を、入力用データとして表示するようにしている。よって、本発明によれば、ユーザーは、極めて簡単な操作（少ない回数の操作）を行うだけで、且つ前記アイコン中の介護又は医療分野での特定の仕事に含まれる各種の作業内容を示す絵又は図形を見ながら直感的に、特定の周辺ボタンに表示されたアイコンを構成する絵若しくは図形に示された介護又は医療分野での特定の仕事に含まれる特定の作業内容と内容的に関連する１つ又は複数の文字列又は文章を、入力用データとして表示したり入力したりすることができる。
【００１７】
また、本発明において、前記関連周辺ボタン表示部が、前記中央ボタンから十字方向の、例えば上側、下側、左側及び右側などの近傍（周辺）の各位置、前記中央ボタンから扇状に周辺に向かう近傍の各位置、又は前記中央ボタンから放射状に周辺に向かう近傍の各位置に、前記中央ボタンと関連する複数の各周辺ボタンを表示するようにしたときは、ユーザーは、前記中央ボタンを操作した状態又は位置から、前記複数の各周辺ボタンへの操作又はその選択のための動作を、極めて容易に且つスムーズに、行うことができる。
【００１８】
また、本発明において、前記関連文字列等表示が、ユーザーが画面上で前記中央ボタンから１つの周辺ボタンに向けて指を滑らせるフリック操作を行ったとき、前記フリック操作された特定の周辺ボタンと対応する１つ又は複数の文字列又は文章を、入力用データとして表示するようにしたときは、ユーザーは、前記フリック操作を行うだけで、簡単に入力用データの表示を行うことができるようになる。
【００１９】
さらに、本発明に係るによる文字列等入力方法においては、中央ボタンが画面に表示されているとき、前記中央ボタンと関連する複数の周辺ボタンを、前記中央ボタンの周辺に又は前記中央ボタンと関連付けて表示し、前記複数の周辺ボタン中のいずれかが操作又は選択されたとき、前記操作等された周辺ボタン又は当該各周辺ボタンにそれぞれ表示されたアイコンを構成する絵若しくは図形又は文字列と内容的に関連する、１つ又は複数の文字列又は文章を、入力用データとして表示するようにしている。よって、本発明によれば、ユーザーは、極めて簡単な操作（少ない回数の操作）を行うだけで、特定の周辺ボタンに表示されたアイコンを構成する絵若しくは図形又は文字列と内容的に関連する文字列又は文章を、入力用データとして表示したり入力したりすることができる。
【図面の簡単な説明】
【００２０】
【図１】本発明の一実施形態に係る文字列等入力システムの構成の概略を示す概念ブロック図である。
【図２】本実施形態において、高齢者用介護施設の職員がスマートフォン又はタブレット端末を使用して介護作業記録を入力するときの仕事選択画面の一例を示す図である。
【図３】本実施形態において、高齢者用介護施設の職員がスマートフォン又はタブレット端末を使用して介護作業記録を入力するときの作業内容選択画面の一例を示す図である。
【図４】本実施形態において、高齢者用介護施設の職員がスマートフォン又はタブレット端末を使用して介護作業記録を入力するときの作業内容選択画面の一例を示す図である。
【図５】本実施形態において、高齢者用介護施設の職員がスマートフォン又はタブレット端末を使用して介護作業記録を入力するときの作業内容選択画面の一例を示す図である。
【図６】本発明の従来技術に係る、フリック入力方式を採用した文字入力システムの一動作例を示す図である。
【発明を実施するための形態】
【００２１】
以下、本発明の実施形態を図面を参照して説明する。本実施形態は、高齢者用介護施設において介護を担当する職員が使用するのに適した、スマートフォン又はタブレット端末用の文字列又は文章の入力機能（文字列等入力方法）を実現するための文字列等入力システムに係るものである。
【００２２】
図１は、本発明の一実施形態に係る文字列等入力システムの構成を示す図である。図１において、１は例えばスマートフォン又はタブレット端末などの携帯型情報端末に使用されるタッチパネル機能付き表示部（タッチパネルを兼ねるディスプレイ部）、２は前記表示部１に表示されたボタン（ボタンスイッチ）等に対するユーザーのタッチ操作等の操作を検出する操作検出部、３は前記表示部１に表示される中央ボタン（後述）と当該中央ボタンと関連する複数の周辺ボタン（後述）とを互いに関連付けて記録しておく中央ボタン関連記録部、４は前記表示部１に表示される１つ又は複数の周辺ボタン（後述）又は当該各周辺ボタンにそれぞれ表示されるアイコン又は文字列と関連する１つ又は複数の文字列又は文章とを、互いに関連付けて記録する周辺ボタン関連記録部である。
【００２３】
また、図１において、５は、前記中央ボタン関連記録部３及び前記周辺ボタン関連記録部４からの情報に基づいて前記表示部１（タッチパネルをかねるディスプレイ部）上に前記の中央ボタン、周辺ボタン、及びその他の情報を表示させる制御部である。また、前記制御部５は、前記操作検出部２からの情報（ユーザーによる画面上でのタッチ操作等の操作に関する情報）を受信して、前記ユーザーの操作に対する対応として、前記表示部１上に、前記の中央ボタン、周辺ボタン、及びその他の情報を、表示させる。また、前記制御部５は、前記画面上での前記周辺ボタンに対応するユーザーのタッチ操作等の操作に対する対応として、前記操作された周辺ボタンに対応する文字列又は文章を、前記表示部１に表示すると共に、入力文字列等受付部６に出力する。
【００２４】
前記入力文字列等受付部６は、前記制御部５からの情報に基づいて（又は前記周辺ボタン関連記録部４からの情報を参照して）、前記ユーザーによる操作（選択操作等）に対応する文字列又は文章を、入力情報として受け付けて確定する。
【００２５】
次に本実施形態の動作例を図２〜５を参照して説明する。図２は、高齢者用介護施設において介護を担当する職員がスマートフォン又はタブレット端末を使用して介護作業記録を入力するときの画面、特にユーザーが介護作業記録（特に作業内容）を入力するときの最初のメニュー画面としての仕事選択画面の一例を示す図である。図２において、８は前記スマートフォン又はタブレット端末の画面（図１の前記表示部１の画面）である。この画面８中の図示左側部分は日勤の職員が使用する介護作業の記録用の画面、図示右側部分は夜勤の職員が使用する介護作業の記録用の画面である。図２の例では、前記画面８の図示左側部分中に、日勤の職員が入力した「１５：３０  散歩をした」という作業内容を示す文章（図２の符号９参照）が表示、記録されている。
【００２６】
また図２において、１０は介護作業を担当する職員が各種の作業を行った度に当該作業内容の記録を介護作業記録の一部として入力するときに使用する介護作業記録用の、最初のメニュー画面としての仕事選択画面である。この仕事選択画面１０には、例えば、「処置」、「服薬」、及び「巡回」などのような、介護分野での一般的な分類分けにより区別（類別）された複数種類（種別）の仕事を示す文字列が、それぞれ表示された各中央ボタン１１，１２，１３・・・が表示されている。
【００２７】
本実施形態においては、前記中央ボタン関連記録部３（図１参照）により、図２の前記仕事選択画面１０中の「処置」という作業内容を示す文字列が表示された中央ボタン１１には、後述する各周辺ボタン１１ａ〜１１ｈ（又は、当該各周辺ボタン１１ａ〜１１ｈにそれぞれ表示される各種のアイコン又は文字列）が関連付けられて記録されている。また、同様に、前記中央ボタン関連記録部３（図１参照）により、図２の前記仕事選択画面１０中の「服薬」という作業内容を示す文字列が表示された中央ボタン１２には、前記中央ボタン関連記録部３（図１参照）により、後述する各周辺ボタン１２ａ〜１２ｈ（又は、当該各周辺ボタン１２ａ〜１２ｈにそれぞれ表示される各種のアイコン又は文字列）が関連付けられて記録されている。さらに、同様に、前記中央ボタン関連記録部３（図１参照）により、図２の前記仕事選択画面１０中の「巡回」という作業内容を示す文字列が表示された中央ボタン１３には、後述する各周辺ボタン１３ａ〜１３ｈ（又は、当該各周辺ボタン１３ａ〜１３ｈにそれぞれ表示される各種のアイコン又は文字列）が関連付けられて記録されている。
【００２８】
また、本実施形態において、前記周辺ボタン関連記録部４（図１参照）は、前記「処置」という文字列を有する中央ボタン１１の周囲に表示される各周辺ボタン１１ａ〜１１ｈと、「服薬の時間」、「食事の時間」、「リハビリ」、「散歩」、「入浴」、「背中を拭く」、「トイレ介助」、及び「ベッドを起こす」などの前記「処置」という種別の仕事の中に含まれる複数種類の作業の内容（意味）をそれぞれ示す文字列又は文章とを、互いに関連付けて記録している。また、本実施形態において、前記周辺ボタン関連記録部４（図１参照）は、前記「服薬」という文字列を有する中央ボタン１２の周囲に表示される各周辺ボタン１２ａ〜１２ｈと、「鼻にさす」、「お尻から入れる」、「耳にさす」、「皮膚などに塗る」、「目にさす」、「カプセルはパッケージから取り出す」、「うがいをする」、及び「舌でとかす」という前記「服薬」という種別の仕事の中に含まれる複数種類の作業の内容（意味）を示す文字列又は文章とを、互いに関連付けて記録している。また、本実施形態においては、前記周辺ボタン関連記録部４（図１参照）は、前記「巡回」という文字列を有する中央ボタン１３の周囲に表示される各周辺ボタン１３ａ〜１３ｈと、「認知症の患者です」、「特になし」、「特になし」、「特になし」、「特になし」、「起きている」、「大声で呼出があった」、及び「ベッドを離れている」という前記「巡回」という種別の仕事の中に含まれる複数種類の作業の内容（意味）を示す文字列又は文章とを、互いに関連付けて記録している。
【００２９】
〔「処置」ボタンが押されたときの動作〕
次に、図２の前記仕事選択画面１０中において、「処置」という仕事種別を示す文字列が表示された中央ボタン１１がタッチ操作されたときの動作を、図３に基づいて説明する。前記職員が、図２の前記仕事選択画面１０中の「処置」という文字列が表示された中央ボタン１１をタッチ操作すると、図３（ａ）及び（ｂ）に示すように、前記「処置」という文字列を有する中央ボタン１１、周辺ボタン１１ａ〜１１ｈ、並びに、「服薬の時間」、「食事の時間」、「リハビリ」、「散歩」、「入浴」、「背中を拭く」、「トイレ介助」、及び「ベッドを起こす」という前記「処置」という種別の仕事の中に含まれる複数種類の作業の内容（意味）を示す文字列が、一緒に表示される。
【００３０】
本実施形態では、図３に示す画面中において、前記中央ボタン１１は、図２に示す仕事選択画面１０中の「処置」という前記中央ボタン１１と同じ位置（前記表示部１上における同じ座標位置）に表示され、前記各周辺ボタン１１ａ〜１１ｈは前記中央ボタン１１の周辺に表示される。すなわち、本実施形態では、図２に示す仕事選択画面１０から図３に示す次画面（作業内容選択画面）に移行するとき、ユーザーである前記職員の指は、図２の「処置」の中央ボタン１１をタッチ操作した状態から全く移動しないままで、図３における「処置」の中央ボタン１１の上をタッチした状態となる（ユーザーである前記職員にとっては、前記中央ボタン１１を１回だけタッチ操作しただけで、それから指は全く動かさないままで、図２の仕事選択画面から図３の作業内容選択画面へと画面が遷移する）。
【００３１】
前記周辺ボタン１１ａ〜１１ｈは、前記中央ボタン１１の周辺の各位置、すなわち前記中央ボタン１１から放射状に隣接する（又は放射状に近傍に存在する）８個の各位置にそれぞれ表示される。また、前記周辺ボタン１１ａ〜１１ｈには、それぞれ、「服薬の時間」、「食事の時間」、「リハビリ」、「散歩」、「入浴」、「背中を拭く」、「トイレ介助」、及び「ベッドを起こす」という前記「処置」という種別の仕事の中に含まれる複数種類の作業の内容（意味）を示す絵又は図形が表示されている。
【００３２】
次に、前記職員（ユーザー）が、前記中央ボタン１１から前記周辺ボタン１１ａ〜１１ｈのいずれかの方にフリック操作（指を滑らせる操作）をすると、図３の画面上で、前記「服薬の時間」、「食事の時間」、「リハビリ」、「散歩」、「入浴」、「背中を拭く」、「トイレ介助」、及び「ベッドを起こす」という文字列中の、前記フリック操作が為された特定の周辺ボタンに対応する文字列だけが、反転又は強調表示される。例えば、前記職員が図３の画面上において、前記中央ボタン１１の上から前記周辺ボタン１１ｂへと指先をフリック（スライド移動）させると、前記複数の文字列中、「食事の時間」という特定の作業内容を示す文字列だけが、入力用データとして（この場合は入力文字列の候補として）、反転又は強調表示される。
【００３３】
このように、本実施形態では、ユーザーは、（ｉ）図２に示す仕事選択画面１０において「処置」のボタン１１をタッチし、その後（ｉｉ）図３に示す次画面（作業内容選択画面）において「食事の時間」という文字列に対応する絵又は図形を含むアイコンが表示された周辺ボタン１１ｂの方に指先をフリックする（滑らせる）という「２つの操作」を行うだけで、前記「食事の時間」という前記職員が行った特定の作業内容を示す文字列を、画面上に入力用データとして表示することができる。
【００３４】
その後、前記職員は、前記反転又は強調表示された文字列を確認した上で、図３の画面中の「確定」という文字列が表示されたボタン１４をタッチ操作して、前記「食事の時間」という文字列を確定し入力させる。すると、前記「食事の時間」という文字列が、例えば図２の左側部分中に（当該入力時の時刻を示す文字列と共に）表示される。
【００３５】
その後、前記職員は、この「食事の時間」という文字列に続けて、「になったので食事を介助した。」などと文字入力して、当該作業の入力及び記録を完成させる。なお、本発明では、前記周辺ボタン１１ｂに、「食事の時間」という文字列ではなく、「食事の時間になったので食事を介助した」という文章を予め関連付けて記録しておき且つ図３に示す次画面（作業内容選択画面）に表示するようにし、前記職員が前記周辺ボタン１１ｂをタッチしたら、「食事の時間になったので食事を介助した。」という文章が反転又は強調表示され、前記職員が前記「確定」ボタン１４をタッチしたら、当該文章が確定して入力、記録、及び表示されるようにしてもよい。
【００３６】
〔「服薬」ボタンが押されたときの動作〕
次に、図２の前記仕事選択画面１０中において、「服薬」という仕事種別を示す文字列が表示された中央ボタン１２がタッチ操作されたときの動作を、図４に基づいて説明する。前記職員が、図２の前記仕事選択画面１０中の「服薬」という文字列が表示された中央ボタン１２をタッチ操作すると、図４（ａ）及び（ｂ）に示すように、前記「服薬」という文字列を有する中央ボタン１２、周辺ボタン１２ａ〜１２ｈ、並びに、「鼻にさす」、「お尻から入れる」、「耳にさす」、「皮膚などに塗る」、「目にさす」、「カプセルはパッケージから取り出す」、「うがいをする」、及び「舌でとかす」という前記「服薬」という種別の仕事の中に含まれる複数種類の作業の内容（意味）を示す文字列が、一緒に表示される。
【００３７】
本実施形態では、図４に示す次画面（作業内容選択画面）中の前記中央ボタン１２は、図２に示す仕事選択画面１０中の「服薬」という中央ボタン１２と同じ位置（前記表示部１上における同じ座標位置）に表示され、前記各周辺ボタン１２ａ〜１２ｈは前記中央ボタン１２の周辺に表示される。すなわち、本実施形態では、図２に示す仕事選択画面１０から図４に示す次画面（作業内容選択画面）に移行するとき、ユーザーである前記職員の指は、図２の「服薬」の中央ボタン１２をタッチ操作した状態から全く移動しないままで、図４における「服薬」の中央ボタン１２の上をタッチした状態となる（ユーザーである前記職員にとっては、前記中央ボタン１２を１回だけタッチ操作しただけで、それから指は全く動かさないままで、図２の仕事選択画面から図４の作業内容選択画面へと画面が遷移する）。
【００３８】
前記周辺ボタン１２ａ〜１２ｈは、前記中央ボタン１２の周辺の各位置、すなわち前記中央ボタン１２から放射状に隣接する（又は放射状に近傍に存在する）８個の各位置にそれぞれ表示される。また、前記各周辺ボタン１２ａ〜１２ｈには、それぞれ、「鼻にさす」、「お尻から入れる」、「耳にさす」、「皮膚などに塗る」、「目にさす」、「カプセルはパッケージから取り出す」、「うがいをする」、及び「舌でとかす」という前記「服薬」という種別の仕事の中に含まれる複数種類の作業の内容（意味）を示す絵又は図形が表示されている。
【００３９】
次に、前記職員（ユーザー）が、前記中央ボタン１２から前記周辺ボタン１２ａ〜１２ｈのいずれかの方にフリック操作（指を滑らせる操作）をすると、図４の画面上で、前記「鼻にさす」、「お尻から入れる」、「耳にさす」、「皮膚などに塗る」、「目にさす」、「カプセルはパッケージから取り出す」、「うがいをする」、及び「舌でとかす」の文字列中の、前記フリック操作が為された特定の周辺ボタンに対応する文字列だけが、入力用データとして反転又は強調表示される。例えば、前記職員が図４の画面上において、前記中央ボタン１２の上から前記周辺ボタン１２ｄへと指先をフリック（スライド移動）させると、前記複数の文字列中、「皮膚などに塗る」という特定の作業内容を示す文章だけが、反転又は強調表示される。
【００４０】
このように、本実施形態では、ユーザーは、（ｉ）図２に示す仕事選択画面１０において「服薬」のボタン１２をタッチし、その後（ｉｉ）図４に示す次画面（作業内容選択画面）において「皮膚などに塗る」という文章に対応する絵又は図形を含むアイコンが表示された特定の周辺ボタン１２ｄの方に指先をフリックする（滑らせる）という「２つの操作」を行うだけで、前記「皮膚などに塗る」という前記職員が行った特定の作業内容を示す文章を、画面上に入力用データとして表示することができる。
【００４１】
その後、前記職員は、前記反転又は強調表示された文字列を確認してから、図４の画面中の「確定」という文字列が表示されたボタン１４をタッチ操作して、前記「皮膚などに塗る」という文字列又は文章を確定し入力させる。すると、前記「皮膚などに塗る」という文字列が例えば図２の左側部分中に表示される。
【００４２】
〔「巡回」ボタンが押されたときの動作〕
次に、図２に示す前記仕事選択画面１０中において、「巡回」という仕事種別を示す文字列が表示された中央ボタン１３がタッチ操作されたときの動作を、図５に基づいて説明する。前記職員が、前記仕事選択画面１０中の「巡回」という文字列が表示された中央ボタン１３をタッチ操作すると、図５（ａ）及び（ｂ）に示すように、前記「巡回」という文字列を有する中央ボタン１３、周辺ボタン１３ａ〜１３ｈ、並びに、「認知症の患者です」、「特になし」、「特になし」、「特になし」、「特になし」、「起きている」、「大声で呼出があった」、及び「ベッドを離れている」という前記「巡回」という種別の仕事の中に含まれる複数種類の作業の内容（意味）を示す文字列が、一緒に表示される。
【００４３】
本実施形態では、図５に示す作業内容選択画面中の前記中央ボタン１３は、図２に示す仕事選択画面１０中の「巡回」という中央ボタン１３と同じ位置（前記表示部１上における同じ座標位置）に表示され、前記各周辺ボタン１３ａ〜１３ｈは前記中央ボタン１３の周辺に表示される。すなわち、本実施形態では、図２に示す仕事選択画面１０から図５に示す次画面（作業内容選択画面）に移行するとき、ユーザーである前記職員の指は、図２の「巡回」の中央ボタン１３をタッチ操作した状態から全く移動しないまま、図５における「巡回」の中央ボタン１３の上をタッチした状態となる（ユーザーである前記職員にとっては、前記中央ボタン１３を１回だけタッチ操作しただけで、それから指は全く動かさないままで、図２の仕事選択画面から図５の作業内容選択画面へと画面が遷移する）。
【００４４】
前記周辺ボタン１３ａ〜１３ｈは、前記中央ボタン１３の周辺の各位置、すなわち前記中央ボタン１３から放射状に隣接する（又は放射状に近傍に存在する）８個の各位置にそれぞれ表示される。また、前記周辺ボタン１３ａ〜１３ｈには、それぞれ、「認知症の患者です」、「特になし」、「特になし」、「特になし」、「特になし」、「起きている」、「大声で呼出があった」、及び「ベッドを離れている」という前記「巡回」という種別の仕事の中に含まれる複数種類の作業の内容（意味）を示す絵又は図形が表示されている。
【００４５】
次に、前記職員（ユーザー）が、前記中央ボタン１３から前記周辺ボタン１３ａ〜１３ｈのいずれかの方にフリック操作（指を滑らせる操作）をすると、図５の画面上で、前記「認知症の患者です」、「特になし」、「特になし」、「特になし」、「特になし」、「起きている」、「大声で呼出があった」、及び「ベッドを離れている」という文字列中の、前記フリック操作が為された特定の周辺ボタンに対応する文字列だけが、入力用データとして反転又は強調表示される。例えば、前記職員が図５の画面上において、前記中央ボタン１３の上から前記周辺ボタン１３ｇへと指先をフリック（スライド移動）させると、前記複数の文字列中、「大声で呼出があった」という特定の作業内容に関連する文章だけが、反転又は強調表示される。
【００４６】
このように、本実施形態では、ユーザーは、（ｉ）図２に示す仕事選択画面１０において「巡回」のボタン１３をタッチし、その後（ｉｉ）図５に示す次画面（作業内容選択画面）において「大声で呼出があった」という文章に対応する絵又は図形を含むアイコンが表示された特定の周辺ボタン１３ｇの方に指先をフリックする（滑らせる）という「２つの操作」を行うだけで、前記「大声で呼出があった」という前記職員が行った特定の作業内容に関連する文章を、画面上に入力用データとして表示することができる。
【００４７】
その後、前記職員は、前記反転又は強調表示された文章を確認した上で、図５の画面中の「確定」という文字列が表示されたボタン１４をタッチ操作して、前記「大声で呼出があった」という文章を確定し入力させる。すると、前記「大声で呼出があった」という文章が例えば図２の左側部分中に表示される。
【００４８】
以上のように、本実施形態においては、図２に示す仕事選択画面１０中の前記中央ボタン１１〜１３が画面に表示されているとき、ユーザーが前記中央ボタン１１〜１３のいずれかをタッチ操作するだけで、前記中央ボタン１１，１２，又は１３、及びそれと関連する複数の周辺ボタン１１ａ〜１１ｈ、１２ａ〜１２ｈ、又は１３ａ〜１３ｈを、前記中央ボタン１１，１２，又は１３と関連付けて、前記中央ボタン１１，１２，又は１３の周辺に表示し、さらに、その後、ユーザーは、前記各周辺ボタンにそれぞれ表示されたアイコンを構成する絵若しくは図形又は文字列を見て、それらが示す作業内容を直感的に認識、把握しながら、自分（ユーザーである職員）が行った特定の作業内容を示す絵若しくは図形又は文字列を含むアイコン（アイコンに代わる文字列でもよい）を表示する周辺ボタンに向けてフリック操作するだけで、前記操作等された周辺ボタンに表示されたアイコンを構成する絵若しくは図形又は文字列と内容的に関連する、特定の作業内容を示す文字列又は文章を、入力用データとして表示するようにしている。よって、本実施形態によれば、ユーザーである職員は、極めて簡単な操作（本実施形態では、ユーザーは、（ｉ）図２に示す仕事選択画面１０での特定の中央ボタンへのタッチ操作と（ｉｉ）図３〜５に示す作業内容選択画面での前記中央ボタンから特定の周辺ボタンへ向かうフリック操作との計２回の操作）を行うだけで、ユーザーである職員が行った特定作業の内容を示す文字列又は文章を入力用データ（図３〜５の場合は入力候補）として表示することができる。
【００４９】
また、本実施形態においては、前述のように、（ｉ）図２に示す仕事選択画面１０での前記中央ボタン１１〜１３のいずれかのタッチ操作と、（ｉｉ）図３〜５に示す作業内容選択画面での前記中央ボタンから特定の周辺ボタンへのフリック操作との計２回の操作を行うだけで、ユーザーである職員が行った「巡回」の仕事中に含まれる特定の作業の内容を示す文字列又は文章を入力用データ（入力候補）として表示することができ、さらに、前記「確定」という文字列が表示されたボタン１４（図３〜５参照）を押すことだけで、ユーザーが図３〜５の作業内容選択画面上でそれぞれ選択操作（フリック操作）した特定の作業内容を示す文字列又は文章を効率的に入力することができる。
【００５０】
以上、本発明の実施形態について説明したが、本発明は前記実施形態として述べたものに限定されるものではなく、様々な修正及び変更が可能である。例えば、前記実施形態においては、図３〜５に示すように、中央ボタンから放射状に向かう計８個の近傍（周辺）位置にそれぞれ各周辺ボタンを配置、表示するようにしたが、本発明においてはこれに限られるものではなく、中央ボタンから十字方向、例えば上側、下側、左側及び右側などの方向の近傍の位置に各周辺ボタンを表示することも、また中央ボタンから扇状に周辺に向かう方向の近傍の位置（例えば図６（ｅ）参照）に各周辺ボタンを表示することなども可能である。
【００５１】
また、前記実施形態においては、ユーザーである職員が、（ｉ）図２に示す仕事選択画面１０での前記中央ボタンのいずれかのタッチ操作と、（ｉｉ）図３〜５に示す作業内容選択画面での中央ボタンから周辺ボタンへのフリック操作との計２回の操作を行うだけで、ユーザーである職員が行った介護分野での仕事に含まれる複数の作業中の特定の作業の内容を示す文字列又は文章を入力用データの「候補」として表示させ、その後に、（ｉｉｉ）「確定」という文字列が表示されたボタン１４（図３〜５参照）を押すことにより前記文字列又は文章の入力を確定するようにしたが、本発明ではこれに限られるものではなく、（ｉ）図２に示す仕事選択画面１０での前記中央ボタン１１〜１３のいずれかのタッチ操作と、（ｉｉ）図３〜５に示す作業内容選択画面での中央ボタンから周辺ボタンへのフリック操作との計２回の操作を行うことだけで、直ちに、前記文字列又は文章の入力を確定させ、当該入力を記録させるようにしてもよい。
【００５２】
また、前記実施形態においては、前記各周辺ボタンにそれぞれ対応する特定の作業内容を示す文字列又は文章を一種類だけとしているが、本発明では、前記各周辺ボタンにそれぞれ対応する特定の作業内容を示す文字列又は文章を複数種類としてもよい。すなわち、前記実施形態では、例えば、図４の「服薬」ボタン１２の周辺に表示される各周辺ボタン１２ａ〜１２ｈ中の例えば周辺ボタン１２ｄが操作されたとき、周辺ボタン１２ｄに対応する特定の作業内容を示す文字列又は文章として「皮膚などに塗る」だけを入力用データ（入力用候補）として表示するようにしたが、本発明では、例えば「顔の皮膚などに塗る」、「背中の皮膚などに塗る」、「お腹の皮膚などに塗る」、及び「手足の皮膚などに塗る」などの複数の入力用のデータを、入力用候補としてまず表示し、その後、ユーザーに、前記複数の入力用データ候補の中のいずれかを選択させるようにし、このいずれかの選択により入力データとして確定するようにしてもよい。
【符号の説明】
【００５３】
１    表示部
２    操作検出部
３    中央ボタン関連記録部
４    周辺ボタン関連記録部
５    制御部
６    入力文字列等受付部
８    画面
１１〜１３  中央ボタン
１１ａ〜１１ｈ，１２ａ〜１２ｈ，１３ａ〜１３ｈ，   周辺ボタン
１０  仕事選択画面
１４  確定ボタン
【図１】
2019144721.tif 000003
【図２】
2019144721.tif 000004
【図３】
2019144721.tif 000005
【図４】
2019144721.tif 000006
【図５】
2019144721.tif 000007
【図６】
2019144721.tif 000008
【手続補正書】
【提出日】平成30年5月24日(2018.5.24)
【手続補正１】
【補正対象書類名】特許請求の範囲
【補正対象項目名】全文
【補正方法】変更
【補正の内容】
【特許請求の範囲】
【請求項１】
介護又は医療分野の仕事の一種である処置、服薬又は巡回などの所定の意味を有する文字列（「文字列」は複数の文字（文字は記号を含む）からなる言葉又は文章をいう。）又は絵もしくは図形がそれぞれ表示される複数の中央ボタンと、前記各中央ボタンに表示される文字列又は絵もしくは図形が有する所定の意味と内容的に関連する意味であって互いに異なる所定の意味を有する文字列又は絵もしくは図形がそれぞれ表示される複数の周辺ボタンとを、互いに内容的に関連付けて記録する中央ボタン関連記録部と、
前記複数の各周辺ボタンにそれぞれ表示される前記所定の意味を有する文字列又は絵もしくは図形と、前記各周辺ボタンにそれぞれ表示される文字列又は絵もしくは図形が有する所定の意味とそれぞれ内容的に関連する所定の意味を有する１つ又は複数の文字列又は文章とを、互いに関連付けて記録する周辺ボタン関連記録部と、
或る中央ボタンが画面に表示されているとき又は操作されたとき、当該中央ボタンに表示された文字列又は絵もしくは図形が有する所定の意味と内容的に関連する意味であって互いに異なる所定の意味を有する文字列又は絵もしくは図形がそれぞれ表示された複数の周辺ボタンを、当該中央ボタンの周辺の位置であって少なくとも前記中央ボタンを介して互いに対向する２つの位置を含む複数の位置にそれぞれ表示する関連周辺ボタン表示部と、
前記複数の周辺ボタン中のいずれかが操作又は選択されたとき、前記操作等された周辺ボタンに表示された文字列又は絵もしくは図形が有する所定の意味と内容的に関連する、１つ又は複数の文字列又は文章を、入力用データとして表示又は入力する関連文字列表示部と、
を含む文字列等入力システム。
【請求項２】
介護又は医療分野の仕事の一種である処置、服薬又は巡回などの所定の意味を有する文字列（「文字列」は複数の文字（文字は記号を含む）からなる言葉又は文章をいう。）又は絵もしくは図形がそれぞれ表示される複数の中央ボタンと、前記各中央ボタンに表示される文字列又は絵もしくは図形が有する所定の意味と内容的に関連する意味であって互いに異なる所定の意味を有する絵もしくは図形がそれぞれ表示される複数の周辺ボタンとを、互いに内容的に関連付けて記録する中央ボタン関連記録部と、
前記複数の各周辺ボタンにそれぞれ表示される所定の意味を有する絵もしくは図形と、前記各周辺ボタンにそれぞれ表示される絵もしくは図形が有する所定の意味とそれぞれ内容的に関連する所定の意味を有する１つ又は複数の文字列又は文章とを、互いに関連付けて記録する周辺ボタン関連記録部と、
或る中央ボタンが画面に表示されているとき又は操作されたとき、当該中央ボタンに表示された文字列又は絵もしくは図形が有する所定の意味と内容的に関連する意味であって互いに異なる所定の意味を有する絵もしくは図形がそれぞれ表示された複数の周辺ボタンを、当該中央ボタンの周辺の位置であって少なくとも前記中央ボタンを介して互いに対向する２つの位置を含む複数の位置にそれぞれ表示する関連周辺ボタン表示部と、
前記複数の周辺ボタン中のいずれかが操作又は選択されたとき、前記操作等された周辺ボタンに表示された絵もしくは図形が有する所定の意味と内容的に関連する、１つ又は複数の文字列又は文章を、入力用データとして表示又は入力する関連文字列表示部と、
を含む文字列等入力システム。
【請求項３】
介護又は医療などの仕事の種別を示す文字列（「文字列」は複数の文字（文字は記号を含む）からなる言葉又は文章をいう。）又は絵もしくは図形がそれぞれ表示される複数の中央ボタンと、前記各中央ボタンに表示された種別の仕事に含まれる作業もしくは業務内容であって互いに異なる作業もしくは業務内容を示す絵もしくは図形がそれぞれ表示される複数の周辺ボタンとを、互いに内容的に関連付けて記録する中央ボタン関連記録部と、
前記複数の各周辺ボタンにそれぞれ表示される所定の意味を有する絵もしくは図形と、前記各周辺ボタンにそれぞれ表示される絵もしくは図形が有する所定の意味とそれぞれ内容的に関連する所定の意味を有する１つ又は複数の文字列又は文章とを、互いに関連付けて記録する周辺ボタン関連記録部と、
或る中央ボタンが画面に表示されているとき又は操作されたとき、当該中央ボタンに表示された文字列又は絵もしくは図形が有する所定の意味と内容的に関連する意味であって互いに異なる所定の意味を有する絵もしくは図形が表示された複数の周辺ボタンを、当該中央ボタンの周辺の位置であって少なくとも前記中央ボタンを介して互いに対向する２つの位置を含む複数の位置にそれぞれ表示する関連周辺ボタン表示部と、
前記複数の周辺ボタン中のいずれかが操作又は選択されたとき、前記操作等された周辺ボタンに表示された絵もしくは図形が有する所定の意味と内容的に関連する、１つ又は複数の文字列又は文章を、入力用データとして表示又は入力する関連文字列表示部と、
を含む文字列等入力システム。
【請求項４】
介護又は医療などの仕事の種別を示す文字列（「文字列」は複数の文字（文字は記号を含む）からなる言葉又は文章をいう。）又は絵もしくは図形がそれぞれ表示される複数の中央ボタンと、前記各中央ボタンに表示された種別の仕事に含まれる作業もしくは業務内容であって互いに異なる作業もしくは業務内容を示す絵もしくは図形がそれぞれ表示される複数の周辺ボタンとを、互いに内容的に関連付けて記録する中央ボタン関連記録部と、
前記複数の各周辺ボタンにそれぞれ表示される所定の意味を有する絵もしくは図形と、前記各周辺ボタンに表示される絵もしくは図形が有する所定の意味とそれぞれ内容的に関連する所定の意味を有する１つ又は複数の文字列又は文章とを、互いに関連付けて記録する周辺ボタン関連記録部と、
ユーザーが画面上で複数の中央ボタンから任意の一つの中央ボタンを選択できるようにした中央ボタン選択部と、
前記中央ボタン選択部により選択された中央ボタンが画面に表示されているとき又は操作されたとき、当該中央ボタンに表示された文字列又は絵もしくは図形が有する所定の意味と内容的に関連する意味であって互いに異なる所定の意味を有する絵もしくは図形がそれぞれ表示された複数の周辺ボタンを、当該中央ボタンの周辺の位置であって少なくとも前記中央ボタンを介して互いに対向する２つの位置を含む複数の位置にそれぞれ表示する関連周辺ボタン表示部と、
前記複数の周辺ボタン中のいずれかが操作又は選択されたとき、前記操作等された周辺ボタンに表示された絵もしくは図形が有する所定の意味と内容的に関連する、１つ又は複数の文字列又は文章を、入力用データとして表示又は入力する関連文字列表示部と、
を含む文字列等入力システム。
【請求項５】
前記関連周辺ボタン表示部は、前記中央ボタンから十字方向の、例えば上側、下側、左側及び右側などの近傍の各位置、前記中央ボタンから扇状に周辺に向かう近傍の各位置、又は前記中央ボタンから放射状に周辺に向かう近傍の各位置に、前記中央ボタンと関連する複数の各周辺ボタンをそれぞれ表示するものである、請求項１から４までのいずかに記載の文字列等入力システム。
【請求項６】
前記関連文字列等表示部は、ユーザーが画面上で前記中央ボタンから１つの周辺ボタンに向けて指を滑らせるフリック操作を行ったとき、前記フリック操作された特定の周辺ボタンと対応する１つ又は複数の文字列又は文章を、入力用データとして表示又は入力するものである、請求項１から５までのいずかに記載の文字列等入力システム。
【請求項７】
介護又は医療分野の仕事の一種である処置、服薬又は巡回などの所定の意味を有する文字列（「文字列」は複数の文字（文字は記号を含む）からなる言葉又は文章をいう。）又は絵もしくは図形がそれぞれ表示される複数の中央ボタンと、前記各中央ボタンに表示される文字列又は絵もしくは図形が有する所定の意味と内容的に関連する意味であって互いに異なる所定の意味を有する文字列又は絵もしくは図形がそれぞれ表示される複数の周辺ボタンとを、互いに内容的に関連付けて記録する中央ボタン関連記録部と、前記複数の各周辺ボタンにそれぞれ表示される前記所定の意味を有する文字列又は絵もしくは図形と、前記各周辺ボタンにそれぞれ表示される文字列又は絵もしくは図形が有する所定の意味とそれぞれ内容的に関連する所定の意味を有する１つ又は複数の文字列又は文章とを、互いに関連付けて記録する周辺ボタン関連記録部とを備えておき、
或る中央ボタンが画面に表示されているとき又は操作されたとき、当該中央ボタンに表示された文字列又は絵もしくは図形が有する所定の意味と内容的に関連する意味であって互いに異なる所定の意味を有する文字列又は絵もしくは図形がそれぞれ表示された複数の周辺ボタンを、当該中央ボタンの周辺の位置であって少なくとも前記中央ボタンを介して互いに対向する２つの位置を含む複数の位置にそれぞれ表示する関連周辺ボタン表示ステップと、
前記複数の周辺ボタン中のいずれかが操作又は選択されたとき、前記操作等された周辺ボタンに表示された文字列又は絵もしくは図形が有する所定の意味と内容的に関連する、１つ又は複数の文字列又は文章を、入力用データとして表示又は入力する関連文字列表示ステップと、
を含む文字列等入力方法。
【手続補正２】
【補正対象書類名】明細書
【補正対象項目名】０００６
【補正方法】変更
【補正の内容】
【０００６】
本発明による文字列等入力システムは、介護又は医療分野の仕事の一種である処置、服薬又は巡回などの所定の意味を有する文字列（「文字列」は複数の文字（文字は記号を含む）からなる言葉又は文章をいう。）又は絵もしくは図形がそれぞれ表示される複数の中央ボタンと、前記各中央ボタンに表示される文字列又は絵もしくは図形が有する所定の意味と内容的に関連する意味であって互いに異なる所定の意味を有する文字列又は絵もしくは図形がそれぞれ表示される複数の周辺ボタンとを、互いに内容的に関連付けて記録する中央ボタン関連記録部と、前記複数の各周辺ボタンにそれぞれ表示される前記所定の意味を有する文字列又は絵もしくは図形と、前記各周辺ボタンにそれぞれ表示される文字列又は絵もしくは図形が有する所定の意味とそれぞれ内容的に関連する所定の意味を有する１つ又は複数の文字列又は文章とを、互いに関連付けて記録する周辺ボタン関連記録部と、或る中央ボタンが画面に表示されているとき又は操作されたとき、当該中央ボタンに表示された文字列又は絵もしくは図形が有する所定の意味と内容的に関連する意味であって互いに異なる所定の意味を有する文字列又は絵もしくは図形がそれぞれ表示された複数の周辺ボタンを、当該中央ボタンの周辺の位置であって少なくとも前記中央ボタンを介して互いに対向する２つの位置を含む複数の位置にそれぞれ表示する関連周辺ボタン表示部と、前記複数の周辺ボタン中のいずれかが操作又は選択されたとき、前記操作等された周辺ボタンに表示された文字列又は絵もしくは図形が有する所定の意味と内容的に関連する、１つ又は複数の文字列又は文章を、入力用データとして表示又は入力する関連文字列表示部とを含むものである。
【手続補正３】
【補正対象書類名】明細書
【補正対象項目名】０００７
【補正方法】変更
【補正の内容】
【０００７】
また、本発明による文字列等入力システムは、介護又は医療分野の仕事の一種である処置、服薬又は巡回などの所定の意味を有する文字列（「文字列」は複数の文字（文字は記号を含む）からなる言葉又は文章をいう。）又は絵もしくは図形がそれぞれ表示される複数の中央ボタンと、前記各中央ボタンに表示される文字列又は絵もしくは図形が有する所定の意味と内容的に関連する意味であって互いに異なる所定の意味を有する絵もしくは図形がそれぞれ表示される複数の周辺ボタンとを、互いに内容的に関連付けて記録する中央ボタン関連記録部と、前記複数の各周辺ボタンにそれぞれ表示される所定の意味を有する絵もしくは図形と、前記各周辺ボタンにそれぞれ表示される絵もしくは図形が有する所定の意味とそれぞれ内容的に関連する所定の意味を有する１つ又は複数の文字列又は文章とを、互いに関連付けて記録する周辺ボタン関連記録部と、或る中央ボタンが画面に表示されているとき又は操作されたとき、当該中央ボタンに表示された文字列又は絵もしくは図形が有する所定の意味と内容的に関連する意味であって互いに異なる所定の意味を有する絵もしくは図形がそれぞれ表示された複数の周辺ボタンを、当該中央ボタンの周辺の位置であって少なくとも前記中央ボタンを介して互いに対向する２つの位置を含む複数の位置にそれぞれ表示する関連周辺ボタン表示部と、前記複数の周辺ボタン中のいずれかが操作又は選択されたとき、前記操作等された周辺ボタンに表示された絵もしくは図形が有する所定の意味と内容的に関連する、１つ又は複数の文字列又は文章を、入力用データとして表示又は入力する関連文字列表示部とを含むものである。
【手続補正４】
【補正対象書類名】明細書
【補正対象項目名】０００８
【補正方法】変更
【補正の内容】
【０００８】
また、本発明による文字列等入力システムは、介護又は医療などの仕事の種別を示す文字列（「文字列」は複数の文字（文字は記号を含む）からなる言葉又は文章をいう。）又は絵もしくは図形がそれぞれ表示される複数の中央ボタンと、前記各中央ボタンに表示された種別の仕事に含まれる作業もしくは業務内容であって互いに異なる作業もしくは業務内容を示す絵もしくは図形がそれぞれ表示される複数の周辺ボタンとを、互いに内容的に関連付けて記録する中央ボタン関連記録部と、前記複数の各周辺ボタンにそれぞれ表示される所定の意味を有する絵もしくは図形と、前記各周辺ボタンにそれぞれ表示される絵もしくは図形が有する所定の意味とそれぞれ内容的に関連する所定の意味を有する１つ又は複数の文字列又は文章とを、互いに関連付けて記録する周辺ボタン関連記録部と、或る中央ボタンが画面に表示されているとき又は操作されたとき、当該中央ボタンに表示された文字列又は絵もしくは図形が有する所定の意味と内容的に関連する意味であって互いに異なる所定の意味を有する絵もしくは図形が表示された複数の周辺ボタンを、当該中央ボタンの周辺の位置であって少なくとも前記中央ボタンを介して互いに対向する２つの位置を含む複数の位置にそれぞれ表示する関連周辺ボタン表示部と、前記複数の周辺ボタン中のいずれかが操作又は選択されたとき、前記操作等された周辺ボタンに表示された絵もしくは図形が有する所定の意味と内容的に関連する、１つ又は複数の文字列又は文章を、入力用データとして表示又は入力する関連文字列表示部とを含むものである。
【手続補正５】
【補正対象書類名】明細書
【補正対象項目名】０００９
【補正方法】変更
【補正の内容】
【０００９】
また、本発明による文字列等入力システムは、介護又は医療などの仕事の種別を示す文字列（「文字列」は複数の文字（文字は記号を含む）からなる言葉又は文章をいう。）又は絵もしくは図形がそれぞれ表示される複数の中央ボタンと、前記各中央ボタンに表示された種別の仕事に含まれる作業もしくは業務内容であって互いに異なる作業もしくは業務内容を示す絵もしくは図形がそれぞれ表示される複数の周辺ボタンとを、互いに内容的に関連付けて記録する中央ボタン関連記録部と、前記複数の各周辺ボタンにそれぞれ表示される所定の意味を有する絵もしくは図形と、前記各周辺ボタンに表示される絵もしくは図形が有する所定の意味とそれぞれ内容的に関連する所定の意味を有する１つ又は複数の文字列又は文章とを、互いに関連付けて記録する周辺ボタン関連記録部と、ユーザーが画面上で複数の中央ボタンから任意の一つの中央ボタンを選択できるようにした中央ボタン選択部と、前記中央ボタン選択部により選択された中央ボタンが画面に表示されているとき又は操作されたとき、当該中央ボタンに表示された文字列又は絵もしくは図形が有する所定の意味と内容的に関連する意味であって互いに異なる所定の意味を有する絵もしくは図形がそれぞれ表示された複数の周辺ボタンを、当該中央ボタンの周辺の位置であって少なくとも前記中央ボタンを介して互いに対向する２つの位置を含む複数の位置にそれぞれ表示する関連周辺ボタン表示部と、前記複数の周辺ボタン中のいずれかが操作又は選択されたとき、前記操作等された周辺ボタンに表示された絵もしくは図形が有する所定の意味と内容的に関連する、１つ又は複数の文字列又は文章を、入力用データとして表示又は入力する関連文字列表示部とを含むものである。
【手続補正６】
【補正対象書類名】明細書
【補正対象項目名】００１０
【補正方法】変更
【補正の内容】
【００１０】
また、本発明による文字列等入力システムにおいては、前記関連周辺ボタン表示部は、前記中央ボタンから十字方向の、例えば上側、下側、左側及び右側などの近傍の各位置、前記中央ボタンから扇状に周辺に向かう近傍の各位置、又は前記中央ボタンから放射状に周辺に向かう近傍の各位置に、前記中央ボタンと関連する複数の各周辺ボタンをそれぞれ表示するものであってもよい。
【手続補正７】
【補正対象書類名】明細書
【補正対象項目名】００１１
【補正方法】変更
【補正の内容】
【００１１】
また、本発明による文字列等入力システムにおいては、前記関連文字列等表示部は、ユーザーが画面上で前記中央ボタンから１つの周辺ボタンに向けて指を滑らせるフリック操作を行ったとき、前記フリック操作された特定の周辺ボタンと対応する１つ又は複数の文字列又は文章を、入力用データとして表示又は入力するものであってもよい。
【手続補正８】
【補正対象書類名】明細書
【補正対象項目名】００１２
【補正方法】変更
【補正の内容】
【００１２】
さらに、本発明による文字列等入力方法は、介護又は医療分野の仕事の一種である処置、服薬又は巡回などの所定の意味を有する文字列（「文字列」は複数の文字（文字は記号を含む）からなる言葉又は文章をいう。）又は絵もしくは図形がそれぞれ表示される複数の中央ボタンと、前記各中央ボタンに表示される文字列又は絵もしくは図形が有する所定の意味と内容的に関連する意味であって互いに異なる所定の意味を有する文字列又は絵もしくは図形がそれぞれ表示される複数の周辺ボタンとを、互いに内容的に関連付けて記録する中央ボタン関連記録部と、前記複数の各周辺ボタンにそれぞれ表示される前記所定の意味を有する文字列又は絵もしくは図形と、前記各周辺ボタンにそれぞれ表示される文字列又は絵もしくは図形が有する所定の意味とそれぞれ内容的に関連する所定の意味を有する１つ又は複数の文字列又は文章とを、互いに関連付けて記録する周辺ボタン関連記録部とを備えておき、或る中央ボタンが画面に表示されているとき又は操作されたとき、当該中央ボタンに表示された文字列又は絵もしくは図形が有する所定の意味と内容的に関連する意味であって互いに異なる所定の意味を有する文字列又は絵もしくは図形がそれぞれ表示された複数の周辺ボタンを、当該中央ボタンの周辺の位置であって少なくとも前記中央ボタンを介して互いに対向する２つの位置を含む複数の位置にそれぞれ表示する関連周辺ボタン表示ステップと、前記複数の周辺ボタン中のいずれかが操作又は選択されたとき、前記操作等された周辺ボタンに表示された文字列又は絵もしくは図形が有する所定の意味と内容的に関連する、１つ又は複数の文字列又は文章を、入力用データとして表示又は入力する関連文字列表示ステップとを含むものである。
【手続補正書】
【提出日】平成30年7月19日(2018.7.19)
【手続補正１】
【補正対象書類名】特許請求の範囲
【補正対象項目名】全文
【補正方法】変更
【補正の内容】
【特許請求の範囲】
【請求項１】
介護又は医療の分野における仕事の種類を示す文字列（「文字列」は複数の文字（文字は記号を含む）からなる言葉又は文章をいう。）又は絵もしくは図形がそれぞれ表示される複数の中央ボタンと、前記各中央ボタンに表示される文字列又は絵もしくは図形が有する所定の意味と内容的に関連する意味であって互いに異なる所定の意味を有する文字列又は絵もしくは図形がそれぞれ表示される複数の周辺ボタンとを、互いに内容的に関連付けて記録する中央ボタン関連記録部と、
前記複数の各周辺ボタンにそれぞれ表示される前記所定の意味を有する文字列又は絵もしくは図形と、前記各周辺ボタンにそれぞれ表示される文字列又は絵もしくは図形が有する所定の意味とそれぞれ内容的に関連する所定の意味を有する１つ又は複数の文字列又は文章とを、互いに関連付けて記録する周辺ボタン関連記録部と、
或る中央ボタンが画面に表示されているとき又は操作されたとき、当該中央ボタンに表示された文字列又は絵もしくは図形が有する所定の意味と内容的に関連する意味であって互いに異なる所定の意味を有する文字列又は絵もしくは図形がそれぞれ表示された複数の周辺ボタンを、当該中央ボタンの周辺の位置であって少なくとも前記中央ボタンを介して互いに対向する２つの位置を含む複数の位置にそれぞれ表示する関連周辺ボタン表示部と、
前記複数の周辺ボタン中のいずれかが操作又は選択されたとき、前記操作又は選択された周辺ボタンに表示された文字列又は絵もしくは図形が有する所定の意味と内容的に関連する、１つ又は複数の文字列又は文章を、入力用データとして表示又は入力する関連文字列表示部と
を含む文字列等入力システム。
【請求項２】
介護又は医療の分野における仕事の種類を示す文字列（「文字列」は複数の文字（文字は記号を含む）からなる言葉又は文章をいう。）又は絵もしくは図形がそれぞれ表示される複数の中央ボタンと、前記各中央ボタンに表示される文字列又は絵もしくは図形が有する所定の意味と内容的に関連する意味であって互いに異なる所定の意味を有する絵もしくは図形がそれぞれ表示される複数の周辺ボタンとを、互いに内容的に関連付けて記録する中央ボタン関連記録部と、
前記複数の各周辺ボタンにそれぞれ表示される所定の意味を有する絵もしくは図形と、前記各周辺ボタンにそれぞれ表示される絵もしくは図形が有する所定の意味とそれぞれ内容的に関連する所定の意味を有する１つ又は複数の文字列又は文章とを、互いに関連付けて記録する周辺ボタン関連記録部と、
或る中央ボタンが画面に表示されているとき又は操作されたとき、当該中央ボタンに表示された文字列又は絵もしくは図形が有する所定の意味と内容的に関連する意味であって互いに異なる所定の意味を有する絵もしくは図形がそれぞれ表示された複数の周辺ボタンを、当該中央ボタンの周辺の位置であって少なくとも前記中央ボタンを介して互いに対向する２つの位置を含む複数の位置にそれぞれ表示する関連周辺ボタン表示部と、
前記複数の周辺ボタン中のいずれかが操作又は選択されたとき、前記操作又は選択された周辺ボタンに表示された絵もしくは図形が有する所定の意味と内容的に関連する、１つ又は複数の文字列又は文章を、入力用データとして表示又は入力する関連文字列表示部と
を含む文字列等入力システム。
【請求項３】
仕事の分野を示す文字列（「文字列」は複数の文字（文字は記号を含む）からなる言葉又は文章をいう。）又は絵もしくは図形がそれぞれ表示される複数の中央ボタンと、前記各中央ボタンに表示された種別の仕事に含まれる作業もしくは業務内容であって互いに異なる作業もしくは業務内容を示す絵もしくは図形がそれぞれ表示される複数の周辺ボタンとを、互いに内容的に関連付けて記録する中央ボタン関連記録部と、
前記複数の各周辺ボタンにそれぞれ表示される所定の意味を有する絵もしくは図形と、前記各周辺ボタンにそれぞれ表示される絵もしくは図形が有する所定の意味とそれぞれ内容的に関連する所定の意味を有する１つ又は複数の文字列又は文章とを、互いに関連付けて記録する周辺ボタン関連記録部と、
或る中央ボタンが画面に表示されているとき又は操作されたとき、当該中央ボタンに表示された文字列又は絵もしくは図形が有する所定の意味と内容的に関連する意味であって互いに異なる所定の意味を有する絵もしくは図形が表示された複数の周辺ボタンを、当該中央ボタンの周辺の位置であって少なくとも前記中央ボタンを介して互いに対向する２つの位置を含む複数の位置にそれぞれ表示する関連周辺ボタン表示部と、
前記複数の周辺ボタン中のいずれかが操作又は選択されたとき、前記操作又は選択された周辺ボタンに表示された絵もしくは図形が有する所定の意味と内容的に関連する、１つ又は複数の文字列又は文章を、入力用データとして表示又は入力する関連文字列表示部と
を含む文字列等入力システム。
【請求項４】
仕事の分野を示す文字列（「文字列」は複数の文字（文字は記号を含む）からなる言葉又は文章をいう。）又は絵もしくは図形がそれぞれ表示される複数の中央ボタンと、前記各中央ボタンに表示された種別の仕事に含まれる作業もしくは業務内容であって互いに異なる作業もしくは業務内容を示す絵もしくは図形がそれぞれ表示される複数の周辺ボタンとを、互いに内容的に関連付けて記録する中央ボタン関連記録部と、
前記複数の各周辺ボタンにそれぞれ表示される所定の意味を有する絵もしくは図形と、前記各周辺ボタンに表示される絵もしくは図形が有する所定の意味とそれぞれ内容的に関連する所定の意味を有する１つ又は複数の文字列又は文章とを、互いに関連付けて記録する周辺ボタン関連記録部と、
ユーザーが画面上で複数の中央ボタンから任意の一つの中央ボタンを選択できるようにした中央ボタン選択部と、
前記中央ボタン選択部により選択された中央ボタンが画面に表示されているとき又は操作されたとき、当該中央ボタンに表示された文字列又は絵もしくは図形が有する所定の意味と内容的に関連する意味であって互いに異なる所定の意味を有する絵もしくは図形がそれぞれ表示された複数の周辺ボタンを、当該中央ボタンの周辺の位置であって少なくとも前記中央ボタンを介して互いに対向する２つの位置を含む複数の位置にそれぞれ表示する関連周辺ボタン表示部と、
前記複数の周辺ボタン中のいずれかが操作又は選択されたとき、前記操作又は選択された周辺ボタンに表示された絵もしくは図形が有する所定の意味と内容的に関連する、１つ又は複数の文字列又は文章を、入力用データとして表示又は入力する関連文字列表示部と
を含む文字列等入力システム。
【請求項５】
前記関連周辺ボタン表示部は、前記中央ボタンから十字方向の、例えば上側、下側、左側及び右側などの近傍の各位置、前記中央ボタンから扇状に周辺に向かう近傍の各位置、又は前記中央ボタンから放射状に周辺に向かう近傍の各位置に、前記中央ボタンと関連する複数の各周辺ボタンをそれぞれ表示するものである、請求項１から４までのいずかに記載の文字列等入力システム。
【請求項６】
前記関連文字列表示部は、ユーザーが画面上で前記中央ボタンから１つの周辺ボタンに向けて指を滑らせるフリック操作を行ったとき、前記フリック操作された特定の周辺ボタンと対応する１つ又は複数の文字列又は文章を、入力用データとして表示又は入力するものである、請求項１から５までのいずかに記載の文字列等入力システム。
【請求項７】
介護又は医療の分野における仕事の種類を示す文字列（「文字列」は複数の文字（文字は記号を含む）からなる言葉又は文章をいう。）又は絵もしくは図形がそれぞれ表示される複数の中央ボタンと、前記各中央ボタンに表示される文字列又は絵もしくは図形が有する所定の意味と内容的に関連する意味であって互いに異なる所定の意味を有する文字列又は絵もしくは図形がそれぞれ表示される複数の周辺ボタンとを、互いに内容的に関連付けて記録する中央ボタン関連記録部と、前記複数の各周辺ボタンにそれぞれ表示される前記所定の意味を有する文字列又は絵もしくは図形と、前記各周辺ボタンにそれぞれ表示される文字列又は絵もしくは図形が有する所定の意味とそれぞれ内容的に関連する所定の意味を有する１つ又は複数の文字列又は文章とを、互いに関連付けて記録する周辺ボタン関連記録部とを備えておき、
或る中央ボタンが画面に表示されているとき又は操作されたとき、当該中央ボタンに表示された文字列又は絵もしくは図形が有する所定の意味と内容的に関連する意味であって互いに異なる所定の意味を有する文字列又は絵もしくは図形がそれぞれ表示された複数の周辺ボタンを、当該中央ボタンの周辺の位置であって少なくとも前記中央ボタンを介して互いに対向する２つの位置を含む複数の位置にそれぞれ表示する関連周辺ボタン表示ステップと、
前記複数の周辺ボタン中のいずれかが操作又は選択されたとき、前記操作又は選択された周辺ボタンに表示された文字列又は絵もしくは図形が有する所定の意味と内容的に関連する、１つ又は複数の文字列又は文章を、入力用データとして表示又は入力する関連文字列表示ステップと
を含む文字列等入力方法。
【手続補正２】
【補正対象書類名】明細書
【補正対象項目名】０００６
【補正方法】変更
【補正の内容】
【０００６】
まず最初に本明細書中で使用する用語について説明する。本明細書中において「介護又は医療の分野における仕事の種類を示す文字列」とは、介護又は医療分野における仕事の種類、例えば処置、服薬、又は巡回などの言葉で示されている仕事の種類を示す（意味する）文字列、である。また、本明細書中において「仕事の分野を示す文字列」とは、例えば介護又は医療などのような、仕事の分野を示す（意味する）文字列、である。
本発明による文字列等入力システムは、介護又は医療の分野における仕事の種類を示す文字列（「文字列」は複数の文字（文字は記号を含む）からなる言葉又は文章をいう。）又は絵もしくは図形がそれぞれ表示される複数の中央ボタンと、前記各中央ボタンに表示される文字列又は絵もしくは図形が有する所定の意味と内容的に関連する意味であって互いに異なる所定の意味を有する文字列又は絵もしくは図形がそれぞれ表示される複数の周辺ボタンとを、互いに内容的に関連付けて記録する中央ボタン関連記録部と、前記複数の各周辺ボタンにそれぞれ表示される前記所定の意味を有する文字列又は絵もしくは図形と、前記各周辺ボタンにそれぞれ表示される文字列又は絵もしくは図形が有する所定の意味とそれぞれ内容的に関連する所定の意味を有する１つ又は複数の文字列又は文章とを、互いに関連付けて記録する周辺ボタン関連記録部と、或る中央ボタンが画面に表示されているとき又は操作されたとき、当該中央ボタンに表示された文字列又は絵もしくは図形が有する所定の意味と内容的に関連する意味であって互いに異なる所定の意味を有する文字列又は絵もしくは図形がそれぞれ表示された複数の周辺ボタンを、当該中央ボタンの周辺の位置であって少なくとも前記中央ボタンを介して互いに対向する２つの位置を含む複数の位置にそれぞれ表示する関連周辺ボタン表示部と、前記複数の周辺ボタン中のいずれかが操作又は選択されたとき、前記操作又は選択された周辺ボタンに表示された文字列又は絵もしくは図形が有する所定の意味と内容的に関連する、１つ又は複数の文字列又は文章を、入力用データとして表示又は入力する関連文字列表示部とを含むものである。
【手続補正３】
【補正対象書類名】明細書
【補正対象項目名】０００７
【補正方法】変更
【補正の内容】
【０００７】
また、本発明による文字列等入力システムは、介護又は医療の分野における仕事の種類を示す文字列（「文字列」は複数の文字（文字は記号を含む）からなる言葉又は文章をいう。）又は絵もしくは図形がそれぞれ表示される複数の中央ボタンと、前記各中央ボタンに表示される文字列又は絵もしくは図形が有する所定の意味と内容的に関連する意味であって互いに異なる所定の意味を有する絵もしくは図形がそれぞれ表示される複数の周辺ボタンとを、互いに内容的に関連付けて記録する中央ボタン関連記録部と、前記複数の各周辺ボタンにそれぞれ表示される所定の意味を有する絵もしくは図形と、前記各周辺ボタンにそれぞれ表示される絵もしくは図形が有する所定の意味とそれぞれ内容的に関連する所定の意味を有する１つ又は複数の文字列又は文章とを、互いに関連付けて記録する周辺ボタン関連記録部と、或る中央ボタンが画面に表示されているとき又は操作されたとき、当該中央ボタンに表示された文字列又は絵もしくは図形が有する所定の意味と内容的に関連する意味であって互いに異なる所定の意味を有する絵もしくは図形がそれぞれ表示された複数の周辺ボタンを、当該中央ボタンの周辺の位置であって少なくとも前記中央ボタンを介して互いに対向する２つの位置を含む複数の位置にそれぞれ表示する関連周辺ボタン表示部と、前記複数の周辺ボタン中のいずれかが操作又は選択されたとき、前記操作又は選択された周辺ボタンに表示された絵もしくは図形が有する所定の意味と内容的に関連する、１つ又は複数の文字列又は文章を、入力用データとして表示又は入力する関連文字列表示部とを含むものである。
【手続補正４】
【補正対象書類名】明細書
【補正対象項目名】０００８
【補正方法】変更
【補正の内容】
【０００８】
また、本発明による文字列等入力システムは、仕事の分野を示す文字列（「文字列」は複数の文字（文字は記号を含む）からなる言葉又は文章をいう。）又は絵もしくは図形がそれぞれ表示される複数の中央ボタンと、前記各中央ボタンに表示された種別の仕事に含まれる作業もしくは業務内容であって互いに異なる作業もしくは業務内容を示す絵もしくは図形がそれぞれ表示される複数の周辺ボタンとを、互いに内容的に関連付けて記録する中央ボタン関連記録部と、前記複数の各周辺ボタンにそれぞれ表示される所定の意味を有する絵もしくは図形と、前記各周辺ボタンにそれぞれ表示される絵もしくは図形が有する所定の意味とそれぞれ内容的に関連する所定の意味を有する１つ又は複数の文字列又は文章とを、互いに関連付けて記録する周辺ボタン関連記録部と、或る中央ボタンが画面に表示されているとき又は操作されたとき、当該中央ボタンに表示された文字列又は絵もしくは図形が有する所定の意味と内容的に関連する意味であって互いに異なる所定の意味を有する絵もしくは図形が表示された複数の周辺ボタンを、当該中央ボタンの周辺の位置であって少なくとも前記中央ボタンを介して互いに対向する２つの位置を含む複数の位置にそれぞれ表示する関連周辺ボタン表示部と、前記複数の周辺ボタン中のいずれかが操作又は選択されたとき、前記操作又は選択された周辺ボタンに表示された絵もしくは図形が有する所定の意味と内容的に関連する、１つ又は複数の文字列又は文章を、入力用データとして表示又は入力する関連文字列表示部とを含むものである。
【手続補正５】
【補正対象書類名】明細書
【補正対象項目名】０００９
【補正方法】変更
【補正の内容】
【０００９】
また、本発明による文字列等入力システムは、仕事の分野を示す文字列（「文字列」は複数の文字（文字は記号を含む）からなる言葉又は文章をいう。）又は絵もしくは図形がそれぞれ表示される複数の中央ボタンと、前記各中央ボタンに表示された種別の仕事に含まれる作業もしくは業務内容であって互いに異なる作業もしくは業務内容を示す絵もしくは図形がそれぞれ表示される複数の周辺ボタンとを、互いに内容的に関連付けて記録する中央ボタン関連記録部と、前記複数の各周辺ボタンにそれぞれ表示される所定の意味を有する絵もしくは図形と、前記各周辺ボタンに表示される絵もしくは図形が有する所定の意味とそれぞれ内容的に関連する所定の意味を有する１つ又は複数の文字列又は文章とを、互いに関連付けて記録する周辺ボタン関連記録部と、ユーザーが画面上で複数の中央ボタンから任意の一つの中央ボタンを選択できるようにした中央ボタン選択部と、前記中央ボタン選択部により選択された中央ボタンが画面に表示されているとき又は操作されたとき、当該中央ボタンに表示された文字列又は絵もしくは図形が有する所定の意味と内容的に関連する意味であって互いに異なる所定の意味を有する絵もしくは図形がそれぞれ表示された複数の周辺ボタンを、当該中央ボタンの周辺の位置であって少なくとも前記中央ボタンを介して互いに対向する２つの位置を含む複数の位置にそれぞれ表示する関連周辺ボタン表示部と、前記複数の周辺ボタン中のいずれかが操作又は選択されたとき、前記操作又は選択された周辺ボタンに表示された絵もしくは図形が有する所定の意味と内容的に関連する、１つ又は複数の文字列又は文章を、入力用データとして表示又は入力する関連文字列表示部とを含むものである。
【手続補正６】
【補正対象書類名】明細書
【補正対象項目名】００１１
【補正方法】変更
【補正の内容】
【００１１】
また、本発明による文字列等入力システムにおいては、前記関連文字列表示部は、ユーザーが画面上で前記中央ボタンから１つの周辺ボタンに向けて指を滑らせるフリック操作を行ったとき、前記フリック操作された特定の周辺ボタンと対応する１つ又は複数の文字列又は文章を、入力用データとして表示又は入力するものであってもよい。
【手続補正７】
【補正対象書類名】明細書
【補正対象項目名】００１２
【補正方法】変更
【補正の内容】
【００１２】
さらに、本発明による文字列等入力方法は、介護又は医療の分野における仕事の種類を示す文字列（「文字列」は複数の文字（文字は記号を含む）からなる言葉又は文章をいう。）又は絵もしくは図形がそれぞれ表示される複数の中央ボタンと、前記各中央ボタンに表示される文字列又は絵もしくは図形が有する所定の意味と内容的に関連する意味であって互いに異なる所定の意味を有する文字列又は絵もしくは図形がそれぞれ表示される複数の周辺ボタンとを、互いに内容的に関連付けて記録する中央ボタン関連記録部と、前記複数の各周辺ボタンにそれぞれ表示される前記所定の意味を有する文字列又は絵もしくは図形と、前記各周辺ボタンにそれぞれ表示される文字列又は絵もしくは図形が有する所定の意味とそれぞれ内容的に関連する所定の意味を有する１つ又は複数の文字列又は文章とを、互いに関連付けて記録する周辺ボタン関連記録部とを備えておき、或る中央ボタンが画面に表示されているとき又は操作されたとき、当該中央ボタンに表示された文字列又は絵もしくは図形が有する所定の意味と内容的に関連する意味であって互いに異なる所定の意味を有する文字列又は絵もしくは図形がそれぞれ表示された複数の周辺ボタンを、当該中央ボタンの周辺の位置であって少なくとも前記中央ボタンを介して互いに対向する２つの位置を含む複数の位置にそれぞれ表示する関連周辺ボタン表示ステップと、前記複数の周辺ボタン中のいずれかが操作又は選択されたとき、前記操作又は選択された周辺ボタンに表示された文字列又は絵もしくは図形が有する所定の意味と内容的に関連する、１つ又は複数の文字列又は文章を、入力用データとして表示又は入力する関連文字列表示ステップとを含むものである。